(57)【特許請求の範囲】
【請求項１】
ガラス炉再生器の為のチェッカー煉瓦パックの自立耐火チェッカー煉瓦モジュールであって、
多数の予め形成されている耐火チェッカー煉瓦は、各々が硬化されている耐火材料で形成され、中央管状通路を規定するように実質的に四角形状の管状の平行パイプ形状を有し、
前記チェッカー煉瓦は、層の一つにおけるチェッカー煉瓦の管状通路が隣接する層におけるチェッカー煉瓦の管状通路と中心線をずらされることにより、ハニカム構造を形成する為の長さと幅の寸法を有する、多数の中心線をずらして置かれている層に積み重ねられ、
前記モジュール中の多数のチェッカー煉瓦は結合剤により互いに結合され、
前記モジュールは、分割されているチェッカー煉瓦のそれぞれの露出されている縁が前記ガラス炉再生器の前記チェッカー煉瓦パックに形成される他のチェッカー煉瓦モジュールの隣接する側面のチェッカー煉瓦の同様に露出されている縁と一直線に並ぶように設定する実質的に垂直な平面で縦に二分された、中心線をずらして置かれている長手方向に分割されているチェッカー煉瓦に形成された少なくとも２つの側面を備え、
各層は、前記長手方向に分割されているチェッカー煉瓦以外のその長さ寸法及び幅寸法の夫々において、前記モジュールの夫々の側面に少なくとも２つのチェッカー煉瓦を備える、
耐火チェッカー煉瓦モジュール。
【請求項２】
多数の予め形成されている耐火チェッカー煉瓦がプレス加工されている又は鋳造されている、請求項１に記載の耐火チェッカー煉瓦モジュール。
【請求項３】
結合剤が犠牲的又は非犠牲的結合材である、請求項１に記載の耐火チェッカー煉瓦モジュール。
【請求項４】
結合剤がエポキシ接着結合材である、請求項１に記載の耐火チェッカー煉瓦モジュール。
【請求項５】
モジュールが前記中心線をずらして置かれ長手方向に分割されている多数のチェッカー煉瓦で形成されている正反対の側縁を含む、請求項１に記載の耐火チェッカー煉瓦モジュール。
【請求項６】
モジュールが、前記中心線をずらして置かれ長手方向に分割されている多数のチェッカー煉瓦で形成されている正反対の側縁及び一端縁を含む、請求項１に記載の耐火チェッカー煉瓦モジュール。
【請求項７】
モジュールが、中心線をずらして置かれている多数のチェッカー煉瓦の少なくとも３つの層を備えている、請求項１に記載の耐火チェッカー煉瓦モジュール。
【請求項８】
モジュールが、中心線をずらして置かれている多数のチェッカー煉瓦の４つの層を備えている、請求項７に記載の耐火チェッカー煉瓦モジュール。
【請求項９】
個々の層が、多数の長手方向に分割されているチェッカー煉瓦以外のその長さ寸法及び幅寸法の夫々において、前記モジュールの前記少なくとも２つの側面に２つのチェッカー煉瓦を備える、請求項１に記載の耐火チェッカー煉瓦モジュール。
【請求項１０】
個々の層が、多数の長手方向に分割されているチェッカー煉瓦以外のその長さ寸法及び幅寸法の夫々において、前記モジュールの前記少なくとも２つの側面に３つのチェッカー煉瓦を備える、請求項１に記載の耐火チェッカー煉瓦モジュール。
【請求項１１】
個々の層が、多数の長手方向に分割されているチェッカー煉瓦以外に、その幅寸法において、前記モジュールの前記少なくとも２つの側面の一方に２つのチェッカー煉瓦及びその長さ寸法において、前記モジュールの前記少なくとも２つの側面の他方に３つのチェッカー煉瓦を備える、請求項１に記載の耐火チェッカー煉瓦モジュール。
【発明の詳細な説明】
【関連出願に対する相互引用】
【０００１】
[0001]この出願は、２０１５年２月３日に出願された米国仮出願番号６２／１１１，４６０及び２０１５年２月２５日に出願された英国特許出願１５０３１４１．２を基にしていて、米国仮出願番号６２／１１１，４６０からの米国特許法１１９条（ｅ）の下での国内優先権の利益を主張するとともに英国特許出願１５０３１４１．２からの米国特許法１１９条（ａ）の下での外国優先権の利益もまた主張しており、個々のこのような先に出願された明細書の全ての内容は引用によりここに明らかに組み込まれている。
【技術分野】
【０００２】
[0002]ここに記載されている実施形態は一般的には、ガラス炉再生器（regenerator）のチェッカーパックを形成するよう組み立てられ得る一体化した自立耐火チェッカー煉瓦モジュールに関係している。幾つかの実施形態に従えば、モジュールは一体化した自立耐火チェッカー煉瓦モジュールを提供するよう互いに一体的に結合されている多数の耐火管状チェッカー煉瓦で形成されている。モジュールは、その中にチェッカーパックを形成するよう再生器構造内で組み立てられ得る。
【背景技術】
【０００３】
[0003]ガラスを作成する為の製造プロセスにおいては、砂，生石灰（lime），ソーダ灰（soda ash），そしてその他の成分を含んでいる原料が炉、時にはガラスタンクと呼ばれている、中に供給される。原料は、原料を溶融させ、それによりガラス製品への更なる下流のプロセスの為にガラス炉に存在するガラスの溶融ベッドを形成するようガラス炉中で華氏略２，８００度以上の温度にさらされる。
【０００４】
[0004]ガラス炉を加熱する最も通常の方法は、天然ガス又はオイルの如き炭化水素源の燃焼による。炭化水素燃料は炉の内側で燃焼空気と混合され、そして燃焼され、それにより炉から出る以前に燃焼熱エネルギーを原料及びガラス溶融体に対し伝達する。
【０００５】
[0005]燃焼プロセスの熱効率を向上させる為に、燃料を燃焼させる為に使用される燃焼空気は再生器構造により予加熱されている。より詳細には、燃焼空気の供給は再生器構造の内部中に格納されている多数のチェッカー煉瓦のハニカムパック中で予め加熱される。より詳細には、新鮮な燃焼空気は、再生器構造中の加熱されている多数のチェッカー煉瓦のパックを通って引き込まれ、そして熱伝導により予加熱される。予加熱されている燃焼空気は次に燃料と混合され、そして燃焼され得る。使用済の（waste）燃焼ガスがガラス炉を出て、そして第２の再生器構造を通過する。使用済の燃焼ガスが第２の再生器を通過することにより、パック中の多数のチェッカー煉瓦が使用済の燃焼ガスから伝達された熱により加熱される。所定の時間が経過した後（例えば、略１５〜３０分後）、プロセスサイクルが逆転し、その結果として、使用済の燃焼ガスによる熱伝達により加熱されている複数の再生器構造の１つ中の多数のチェッカー煉瓦が次に新鮮な燃焼空気を予加熱する為に使用され、その間には、燃焼空気を予加熱する為に使用されていた他の複数の再生器構造中の多数のチェッカー煉瓦が次に使用済の燃焼ガスによる熱伝達により予加熱されている。これに関しては、米国特許第３，３２６，５４１号明細書（その全内容は、引用によりここに明確に組み込まれている）を参照して下さい。
【０００６】
[0006]ガラス炉再生器構造のパック中に使用されている多数のチェッカー煉瓦は、最適な製造効率を維持する為に、それらの使用寿命の終わりで又はその真近に交換される必要がある。現在は、それ等が交換されることを望まれる時に多数のチェッカー煉瓦を交換することは困難である。さらには、個々のチェッカー煉瓦をガラス炉再生器構造内に設置し及び／又は交換する為の現在の技術は、パックを形成する為にそれが文字通り数千のチェッカー煉瓦の交換を要求するので、非常に労働を強い、たぶん多くの週を要する。
【０００７】
[0007]従って、再生器構造の多数のチェッカー煉瓦を多数の自立モジュールへと予め組み立てることが出来れば、その時には、チェッカー煉瓦パックの交換及び／又は設置の為に要求されている炉停止時間を十分に減少させることが出来ると理解できる。それは、この発明の実施形態が向けられているこのような改良を提供することに向けられている。
【発明の概要】
【０００８】
[0008]概して、ここに記載されている実施形態は、そのハニカム構造を形成する為に多数の中心線をずらして置かれている層（off-set course）に積み重ねられている多数の予め形成されている耐火チェッカー煉瓦を備えているガラス炉の為の自立耐火チェッカー煉瓦モジュールであって、モジュール中の多数のチェッカー煉瓦は結合剤により互いに結合されている耐火チェッカー煉瓦モジュールに向けられている。幾つかの実施形態に従うと、多数の予め形成されている耐火チェッカー煉瓦は硬化されている（cured）耐火材料で形成されている実質的に四角形状の管の平行六面体であるが、しかし他の管状外形状（tubular geometry）が十分に採用され得る。多数の予め形成されている耐火チェッカー煉瓦がプレス加工されている又は鋳造されている。
【０００９】
[0009]多数のチェッカー煉瓦を互いに結合している結合剤は、犠牲的（sacrificial）又は非犠牲的（non-sacrificial）結合材であり得る。或る実施形態に従えば、結合材はエポキシ接着（epoxy adhesive）結合材である。
【００１０】
[0010]モジュールが、中心線をずらして置かれ長手方向に分割されている（off-set longitudinally split）多数のチェッカー煉瓦で形成されている少なくとも１つの側縁を含み得る。他の実施形態においては、モジュールが、中心線をずらして置かれ長手方向に分割されている多数のチェッカー煉瓦で形成されている正反対の側縁及び一端縁を含む。多数の長手方向に分割されているチェッカー煉瓦は、実質的に垂直な平面により二分され得る。
【００１１】
[0011]モジュールのある実施形態は、中心線をずらして置かれている多数のチェッカー煉瓦の４つの層（course）を備え得る。個々の層は、長さ寸法及び幅寸法において互いに中心線をずらして置かれている、２×２のチェッカー煉瓦，２×３のチェッカー煉瓦，又は３×３のチェッカー煉瓦の母型（matrix）を備え得る。複数の層において中心線をずらして置かれている多数のチェッカー煉瓦の他の母型形状（matrix configuration）が採用され得る。
【００１２】
[0012]この発明のこれらの及び他の概念及び利点は、注意深い考慮がその好適な例示的な実施形態の以下の詳細な記載に支払われた後に、より明確になる。
【００１３】
[0013]この発明の記載されている実施形態は、図面とともに例示的で限定されていない実証となる実施形態の以下の詳細な記載を参照することにより、より良く、そしてより完全に理解されるだろう。
【図面の簡単な説明】
【００１４】
【図１】[0014]図１は、その中にチェッカー煉瓦パックを形成する為のこの発明の実施形態に従った耐火チェッカー煉瓦モジュールの組合体を示しており、部分的に露出されているその壁を伴っているガラス炉再生器構造の斜視図である。
【図２】[0015]図２〜図５は、チェッカー煉瓦の隅モジュールの一実施形態を描いており、図２は隅モジュールの位置を実線で示している部分的なチェッカー煉瓦パックの斜視図である。
【図３】図３はチェッカー煉瓦パックから取り除かれている隅モジュールの斜視図である。
【図４】図４は隅モジュールの位置を実線で示している部分的なチェッカー煉瓦パックの上平面図である。
【図５】図５は隅モジュールの上平面図である。
【図６】[0016]図６〜図９は、多数のチェッカー煉瓦の内部モジュールの一実施形態を描いており、図６は内部モジュールの位置を実線で示している部分的なチェッカー煉瓦パックの斜視図である。
【図７】図７はチェッカー煉瓦パックから取り除かれている内部モジュールの斜視図である。
【図８】図８は内部モジュールの位置を実線で示している部分的なチェッカー煉瓦パックの上平面図である。
【図９】図９は内部モジュールの上平面図である。
【図１０】[0017]図１０〜図１３は、多数のチェッカー煉瓦の幅方向（latitudinal）縁モジュールの一実施形態を描いており、図１０は幅方向（latitudinal）縁モジュールの位置を実線で示している部分的なチェッカー煉瓦パックの斜視図である。
【図１１】図１１はチェッカー煉瓦パックから取り除かれている幅方向（latitudinal）縁モジュールの斜視図である。
【図１２】図１２は幅方向（latitudinal）縁モジュールの位置を実線で示している部分的なチェッカー煉瓦パックの上平面図である。
【図１３】図１３は幅方向（latitudinal）縁モジュールの上平面図である。
【図１４】[0018]図１４〜図１７は、多数のチェッカー煉瓦の長手方向（longitudinal）縁モジュールの一実施形態を描いており、図１４は長手方向（longitudinal）縁モジュールの位置を実線で示している部分的なチェッカー煉瓦パックの斜視図である。
【図１５】図１５はチェッカー煉瓦パックから取り除かれている長手方向（longitudinal）縁モジュールの斜視図である。
【図１６】図１６は長手方向（longitudinal）縁モジュールの位置を実線で示している部分的なチェッカー煉瓦パックの上平面図である。
【図１７】図１７は長手方向（longitudinal））縁モジュールの上平面図である。
【図１８】[0019]図１８〜図２１は、チェッカー煉瓦の隅モジュールのもう一つの実施形態を描いており、図１８は隅モジュールの位置を実線で示している部分的なチェッカー煉瓦パックの斜視図である。
【図１９】図１９はチェッカー煉瓦パックから取り除かれている隅モジュールの斜視図である。
【図２０】図２０は隅モジュールの位置を実線で示している部分的なチェッカー煉瓦パックの上平面図である。
【図２１】図２１は隅モジュールの上平面図である。
【図２２】[0020]図２２〜図２５は、多数のチェッカー煉瓦の幅方向（latitudinal）縁モジュールのもう一つの実施形態を描いており、図２２は幅方向（latitudinal）縁モジュールの位置を実線で示している部分的なチェッカー煉瓦パックの斜視図である。
【図２３】図２３はチェッカー煉瓦パックから取り除かれている幅方向（latitudinal）縁モジュールの斜視図である。
【図２４】図２４は幅方向（latitudinal）縁モジュールの位置を実線で示している部分的なチェッカー煉瓦パックの上平面図である。
【図２５】図２５は幅方向（latitudinal）縁モジュールの上平面図である。
【図２６】[0021]図２６〜図２９は、チェッカー煉瓦の隅モジュールのさらにもう一つの実施形態を描いており、図２６は隅モジュールの位置を実線で示している部分的なチェッカー煉瓦パックの斜視図である。
【図２７】図２７はチェッカー煉瓦パックから取り除かれている隅モジュールの斜視図である。
【図２８】図２８は隅モジュールの位置を実線で示している部分的なチェッカー煉瓦パックの上平面図である。
【図２９】図２９は隅モジュールの上平面図である。
【図３０】[0022]図３０〜図３３は、多数のチェッカー煉瓦の長手方向（longitudinal）縁モジュールのもう一つの実施形態を描いており、図３０は長手方向（longitudinal）縁モジュールの位置を実線で示している部分的なチェッカー煉瓦パックの斜視図である。
【図３１】図３１はチェッカー煉瓦パックから取り除かれている長手方向（longitudinal）縁モジュールの斜視図である。
【図３２】図３２は長手方向（longitudinal）縁モジュールの位置を実線で示している部分的なチェッカー煉瓦パックの上平面図である。
【図３３】図３３は長手方向（longitudinal））縁モジュールの上平面図である。
【図３４】図２４〜図３７は、チェッカー煉瓦の隅モジュールのさらにもう一つの実施形態を描いており、図３４は隅モジュールの位置を実線で示している部分的なチェッカー煉瓦パックの斜視図である。
【図３５】図３５はチェッカー煉瓦パックから取り除かれている隅モジュールの斜視図である。
【図３６】図３６は隅モジュールの位置を実線で示している部分的なチェッカー煉瓦パックの上平面図である。
【図３７】図３７は隅モジュールの上平面図である。
【発明を実施するための形態】
【００１５】
[0023]添付されている図１は、その側壁及び／又は端壁１６，１８を形成する為に組み立てられ得る、以下により詳細に記載される一体化した自立合成耐火モジュールで構成されている再生器構造１０の斜視図を概略的に描いている。再生器構造１０は動作の組み合わせにおいてガラス炉（示されていない）とともに使用されることが認識される。添付されている図１中に概略描かれている再生器構造１０は側面燃焼（side-fired）ガラス炉の為に使用されるタイプである。しかしながら、ここに記載される発明の実施形態の特性は、他のガラス炉の形態、例えば端燃焼（end-fired）ガラス炉、にも、チェッカー煉瓦パックを採用している他の炉構造に対してもまた同様に、等しく適用可能であり、従ってこの発明の実施形態の利点から利益を得る。
【００１６】
[0024]再生器構造１０の頂部分には、隣接して配置されている複数のクラウン（その代表的な幾つかが参照数字４０により指摘されている）の連続により覆われている。壁１６，１８はバックステー（buck stay）２０と呼ばれて、知られている外部直立構造梁により構造的に支持されている。当該技術において知られている如く、バックステー２０は、再生器構造１０に関する幅方向の（latitudinally）及び長手方向の（longitudinally）の両方でバックステー２０の対向している対の間を延出していて相互に連結している複数のロッド２０により壁１６、１８に対し総合的に保持されている。
【００１７】
[0025]再生器構造１０の底部分は、隣接して配置されている複数のライダーアーチ（rider arch）（示されていない）を含む。複数のライダーアーチは従って、再生器構造１０への／からの燃焼空気及びガスの進入／排出の為の通路を設定し、そしてその上の再生器構造１０の内部容積を占めているチェッカー煉瓦パック５０の為の支持床を提供するよう提供されている。知られている如く、個々のチェッカー煉瓦（その代表的な幾つかが添付の図において参照数字５２により指摘されている）は、中心線をずらして置かれジグザグ状に（off-set staggered）積み重ねられていて、その結果として、それによる熱交換の為にそこを通ってガラス炉にガスが流れる曲がりくねった通路を提供する概略的なハニカム配列を提供する、細長い管状構造（例えば、横断面において四角形状の管状構造）である。
【００１８】
[0026]この発明の複数の実施形態に従えば、チェッカー煉瓦パック５０は複数のモジュールの組み立てられた積層体により形成されていて、個々のモジュールは個々に積まれている複数の管状（例えば、四角形状の平行六面体（square parallel piped））チェッカー煉瓦の複数の層により形成されている自立構造であり、１つの層における複数のチェッカー煉瓦は隣接した層における複数のチェッカー煉瓦と比較した時に中心線をずらして置かれているか又はジグザグにされている。
【００１９】
[0027]ここに記載されている複数の実施形態に従えば、複数のモジュールを形成している複数のチェッカー煉瓦は好ましくは、エポキシ粘着結合剤（epoxy adhesive bonding agent）の如き適切な犠牲（sacrificial）又は非犠牲（non-sacrificial）結合剤により互いに結合されている。用語「犠牲（sacrificial）結合剤」は、互いに結合された複数のチェッカー煉瓦の組立体が一体化した自立移送可能耐火チェッカー煉瓦モジュールであるように、複数のチェッカー煉瓦が互いに結合されることを許容する結合剤を引用することを意味しているが、しかしながらこの構成要素が設置された再生器構造１０の使用中は高温（例えば、約１１００℃乃至約１６５０℃の温度）中で消滅されるか又は燃焼される。
【００２０】
[0028]上で注意された如く、好ましい結合剤はエポキシ粘着結合剤（epoxy adhesive bonding agent）である。以前注意された如く、エポキシ結合剤は犠牲（sacrificial）又は非犠牲（non-sacrificial）であり得る。
【００２１】
[0029]チェッカー煉瓦パック５０中で採用され得る複数のチェッカー煉瓦（その幾つが参照数字１０２により指摘されている）の隅モジュール１００の実施形態が、添付の図２〜図５中に描かれている。例えば図３により示されている如く、モジュール１００は、夫々が複数の離間されている管状（例えば、四角形状の平行六面体）チェッカー煉瓦１０２を含んでいる複数の層Ｃ１−１乃至Ｃ４−１により構成されている。複数の層Ｃ１−１乃至Ｃ４−１の夫々の中における複数のチェッカー煉瓦１０２は、複数の層Ｃ１−１乃至Ｃ４−１の隣接した１つ中の複数のチェッカー煉瓦１０２に対し、ジグザグ配置で中心線をずらして置かれている。
【００２２】
[0030]チェッカー煉瓦パック５０に関しモジュール１００の内縁を形成している複数の複数のチェッカー煉瓦（その代表的な幾つかは参照数字１０２ａにより指摘されている）は、垂直面に沿い長さ方向（lengthwise）に分割（split）されている。好ましくは、複数のチェッカー煉瓦１０２ａは垂直面に沿い長手方向に二分されて、パック５０中の隣接したモジュールの同様の露出されている縁と一直線に並べられる個々の露出した縁を形成する。隅モジュール１００の場合、従って、分割されている複数のチェッカー煉瓦１０２ａの露出されている縁は、図１０乃至図１７に関連して以下に個々に記載されている如きモジュール３００及び４００の分割されている複数のチェッカー煉瓦の個々の露出されている縁と合致する。
【００２３】
[0031]図２乃至図５中に描かれているモジュール１００は３×３モジュールであり、そこにおいては、複数の層Ｃ１−１乃至Ｃ４−１の夫々が、縁のチェッカー煉瓦１０２ａを除き、その長さ及び幅寸法の夫々における３つのチェッカー煉瓦１０２の中心位置ずれした母型（offset matrix）で形成されている。
【００２４】
[0032]チェッカー煉瓦パック５０中で採用され得る複数のチェッカー煉瓦（その幾つが参照数字２０２により指摘されている）の内部モジュール２００の実施形態が、添付の図６〜図９中に描かれている。例えば図７により示されている如く、モジュール２００は、夫々が複数の離間されている管状（例えば、四角形状の平行六面体）チェッカー煉瓦２０２を含んでいる複数の層Ｃ１−２乃至Ｃ４−２により構成されている。複数の層Ｃ１−２乃至Ｃ４−２の夫々の中における複数のチェッカー煉瓦２０２は、複数の層Ｃ１−２乃至Ｃ４−２の隣接した１つ中の複数のチェッカー煉瓦２０２に対し、ジグザグ配置で中心線をずらして置かれている。
【００２５】
[0033]図６乃至図９中に示されている如く、内部モジュール２００は、垂直面に沿い長さ方向に分割されている複数のチェッカー煉瓦（その代表的な幾つかは参照数字２０２ａにより指摘されている）により規定されている正反対の側面を含み、それによりモジュール２００の内縁を形成している。好ましくは、複数のチェッカー煉瓦２０２ａは、垂直面に沿い長手方向に二分されて、パック５０中の隣接したモジュールの同様の露出されている縁と一直線に並べられる個々の露出した縁を形成する。内部モジュール２００の場合、従って、分割されている複数のチェッカー煉瓦１０２ａの露出されている縁は、積層体５０中に隣接して位置されている同様な内部モジュール２００の個々の露出されている縁と、又は図１４乃至図１７及び図３０乃至図３３に関連して以下に個々に記載されている如き側面モジュール４００，８００の個々の露出されている縁と、合致する。
【００２６】
[0034]図６乃至図９中に描かれているモジュール２００は３×３モジュールであり、そこにおいては、複数の層Ｃ１−２乃至Ｃ４−２の夫々が、縁のチェッカー煉瓦２０２ａを除き、その長さ及び幅寸法の夫々における３つのチェッカー煉瓦２０２の中心線をずらして置かれた母型（offset matrix）で形成されている。
【００２７】
[0035]チェッカー煉瓦パック５０中で採用され得る複数のチェッカー煉瓦（その幾つが参照数字３０２により指摘されている）の幅方向（latitudinal）縁モジュール３００の実施形態が、添付の図１０〜図１３中に描かれている。例えば図１１により示されている如く、モジュール３００は、夫々が複数の離間されている管状（例えば、四角形状の平行六面体）チェッカー煉瓦３０２を含んでいる複数の層Ｃ１−３乃至Ｃ４−３により構成されている。複数の層Ｃ１−３乃至Ｃ４−３の夫々の中における複数のチェッカー煉瓦３０２は、複数の層Ｃ１−３乃至Ｃ４−３の隣接した１つ中の複数のチェッカー煉瓦３０２に対し、ジグザグ配置で中心をずらして置かれている。
【００２８】
[0036]図１０乃至図１３中に示されている如く、幅方向（latitudinal）縁モジュール３００は、垂直面に沿い長さ方向に分割されている複数のチェッカー煉瓦（その代表的な幾つかは参照数字３０２ａにより指摘されている）により規定されている内端側面及び正反対の側方側面（lateral side）を含み、それによりモジュール３００の内縁を形成している。好ましくは、複数のチェッカー煉瓦３０２ａは、垂直面に沿い長手方向に二分されて、パック５０中の隣接したモジュールの同様の露出されている縁と一直線に並べられる個々の露出した縁を形成する。幅方向（latitudinal）縁モジュール３００の場合、従って、分割されている複数のチェッカー煉瓦３０２ａの露出されている縁は、図２乃至図５及び図６乃至図９に関連して上に記載された如き端モジュール１００，内部モジュール２００又は図１８乃至図２１に関連して以下に記載されている如き隅モジュール５００の夫々の分割されている複数のチェッカー煉瓦の個々の露出されている縁と合致する。
【００２９】
[0037]図１０乃至図１３中に描かれているモジュール３００は３×３モジュールであり、そこにおいては、複数の層Ｃ１−３乃至Ｃ４−３の夫々が、縁のチェッカー煉瓦３０２ａを除き、その長さ及び幅寸法の夫々における３つのチェッカー煉瓦３０２の中心線をずらして置かれた母型（offset matrix）で形成されている。
【００３０】
[0038]チェッカー煉瓦パック５０中で採用され得る複数のチェッカー煉瓦（その幾つが参照数字４０２により指摘されている）の長手方向（longitudinal）縁モジュール４００の実施形態が、添付の図１４〜図１７中に描かれている。例えば図１５により示されている如く、モジュール４００は、夫々が複数の離間されている管状（例えば、四角形状の平行六面体）チェッカー煉瓦４０２を含んでいる複数の層Ｃ１−４乃至Ｃ４−４により構成されている。複数の層Ｃ１−４乃至Ｃ４−４の夫々の中における複数のチェッカー煉瓦４０２は、複数の層Ｃ１−４乃至Ｃ４−４の隣接した１つ中の複数のチェッカー煉瓦４０２に対し、ジグザグ配置で中心をずらして置かれている。
【００３１】
[0039]図１４乃至図１７中に示されている如く、長手方向（longitudinal）縁モジュール４００は、垂直面に沿い長さ方向に分割されている複数のチェッカー煉瓦（その代表的な幾つかは参照数字４０２ａにより指摘されている）により規定されている内端側面及び正反対の側方側面を含み、それによりモジュール４００の内縁を形成している。好ましくは、複数のチェッカー煉瓦４０２ａは、垂直面に沿い長手方向に二分されて、パック５０中の隣接したモジュールの同様の露出されている縁と一直線に並べられる個々の露出した縁を形成する。幅方向（latitudinal）縁モジュール４００の場合、従って、分割されている複数のチェッカー煉瓦４０２ａの露出されている縁は、同様の隣接した長手方向（longitudinal）縁モジュール４００又は図２乃至図５及び図６乃至図９に関連して上に記載された如き隅モジュール１００又は内部モジュール２００の夫々の露出されている縁と合致する。
【００３２】
[0040]図１４乃至図１７中に描かれているモジュール４００は３×３モジュールであり、そこにおいては、複数の層Ｃ１−４乃至Ｃ４−４の夫々が、縁のチェッカー煉瓦４０２ａを除き、その長さ及び幅寸法の夫々における３つのチェッカー煉瓦４０２の中心線をずらして置かれている母型（offset matrix）で形成されている。
【００３３】
[0041]チェッカー煉瓦パック５０中で採用され得る複数のチェッカー煉瓦（その幾つが参照数字５０２により指摘されている）の隅モジュール５００のもう１つの実施形態が、添付の図１８〜図２１中に描かれている。例えば図１９により示されている如く、モジュール５００は、夫々が複数の離間されている管状（例えば、四角形状の平行六面体）チェッカー煉瓦５０２を含んでいる複数の層Ｃ１−５乃至Ｃ４−５により構成されている。複数の層Ｃ１−５乃至Ｃ４−５の夫々の中における複数のチェッカー煉瓦５０２は、複数の層Ｃ１−５乃至Ｃ４−５の隣接した１つ中の複数のチェッカー煉瓦５０２に対し、ジグザグ配置で中心線をずらして置かれている。
【００３４】
[0042]図１８乃至図２１中に示されている如く、隅モジュール５００は、垂直面に沿い長さ方向に分割されている複数のチェッカー煉瓦（その代表的な幾つかは参照数字５０２ａにより指摘されている）により規定されている隣接して相互に直交している内側面を含み、それによりモジュール５００の内縁を形成している。好ましくは、複数のチェッカー煉瓦５０２ａは、垂直面に沿い長手方向に二分されて、パック５０中の隣接したモジュールの同様の露出されている縁と一直線に並べられる個々の露出した縁を形成する。幅方向（latitudinal）縁モジュール５００の場合、従って、分割されている複数のチェッカー煉瓦５０２ａの露出されている縁は、図２２乃至図２５及び図３１乃至図３３に関連して以下に記載された如き幅方向（latitudinal）縁モジュール６００又は長手方向（longitudinal）縁モジュール８００の夫々の露出されている縁と合致する。
【００３５】
[0043]図１８乃至図２１中に描かれているモジュール５００は２×３モジュールであり、そこにおいては、複数の層Ｃ１−５乃至Ｃ４−５の夫々が、縁のチェッカー煉瓦５０２ａを除き、その幅寸法における２つのチェッカー煉瓦５０２及びその長さ寸法における３つのチェッカー煉瓦５０２の中心線をずらして置かれている母型（offset matrix）で形成されている。
【００３６】
[0044]チェッカー煉瓦パック５０中で採用され得る複数のチェッカー煉瓦（その幾つが参照数字６０２により指摘されている）の幅方向（latitudinal）縁モジュール６００の実施形態が、添付の図２２〜図２３中に描かれている。例えば図２３により示されている如く、モジュール６００は、夫々が複数の離間されている管状（例えば、四角形状の平行六面体）チェッカー煉瓦６０２を含んでいる複数の層Ｃ１−６乃至Ｃ４−６により構成されている。複数の層Ｃ１−６乃至Ｃ４−６の夫々の中における複数のチェッカー煉瓦６０２は、複数の層Ｃ１−６乃至Ｃ４−６の隣接した１つ中の複数のチェッカー煉瓦６０２に対し、ジグザグ配置で中心線をずらして置かれている。
【００３７】
[0045]図２２乃至図２５中に示されている如く、幅方向（latitudinal）縁モジュール６００は、垂直面に沿い長さ方向に分割されている複数のチェッカー煉瓦（その代表的な幾つかは参照数字６０２ａにより指摘されている）により規定されている内端側面及び正反対の側方側面を含み、それによりモジュール６００の内縁を形成している。好ましくは、複数のチェッカー煉瓦６０２ａは、垂直面に沿い長手方向に二分されて、パック５０中の隣接したモジュールの同様の露出されている縁と一直線に並べられる個々の露出した縁を形成する。幅方向（latitudinal）縁モジュール６００の場合、従って、分割されている複数のチェッカー煉瓦６０２ａの露出されている縁は、図６乃至図９及び図１８乃至図２１の夫々に関連して上に記載された如き内部モジュール２００及び隅モジュール５００の、また同様に図２６乃至図２９に関連して以下に記載された如き隅モジュール７００の、分割されている複数のチェッカー煉瓦の露出されている縁と合致する。
【００３８】
[0046]図２２乃至図２５中に描かれているモジュール６００は２×３モジュールであり、そこにおいては、複数の層Ｃ１−６乃至Ｃ４−６の夫々が、縁のチェッカー煉瓦６０２ａを除き、幅寸法における２つのチェッカー煉瓦６０２及び長さ寸法における３つのチェッカー煉瓦６０２の中心線をずらして置かれている母型（offset matrix）で形成されている。
【００３９】
[0047]チェッカー煉瓦パック５０中で採用され得る複数のチェッカー煉瓦（その幾つが参照数字７０２により指摘されている）の隅モジュール７００のもう１つの実施形態が、添付の図２６〜図２９中に描かれている。例えば図２６により示されている如く、モジュール７００は、夫々が複数の離間されている管状（例えば、四角形状の平行六面体）チェッカー煉瓦１０２を含んでいる複数の層Ｃ１−７乃至Ｃ４−７により構成されている。複数の層Ｃ１−７乃至Ｃ４−７の夫々の中における複数のチェッカー煉瓦７０２は、複数の層Ｃ１−７乃至Ｃ４−７の隣接した１つ中の複数のチェッカー煉瓦７０２に対し、ジグザグ配置で中心線をずらして置かれている。
【００４０】
[0048]チェッカー煉瓦パック５０に関しモジュール７００の内縁を形成している複数のチェッカー煉瓦（その代表的な幾つかは参照数字７０２ａにより指摘されている）は、垂直面に沿い長さ方向に分割されている。好ましくは、複数のチェッカー煉瓦７０２ａは、垂直面に沿い長手方向に二分されて、パック５０中の隣接したモジュールの同様の露出されている縁と一直線に並べられる個々の露出した縁を形成する。隅モジュール７００の場合、従って、分割されている複数のチェッカー煉瓦７０２ａの露出されている縁は、図１４乃至図１７及び図２２乃至図２５の夫々に関連して上に記載された如き隣接した長手方向（longitudinal）縁モジュール４００及び幅方向（latitudinal）縁モジュール６００の分割されている複数のチェッカー煉瓦の個々の露出されている縁と合致する。
【００４１】
[0049]図２７乃至図２９中に描かれているモジュール７００は２×２モジュールであり、そこにおいては、複数の層Ｃ１−７乃至Ｃ４−７の夫々が、縁のチェッカー煉瓦７０２ａを除き、幅及び長さ寸法の夫々における２つのチェッカー煉瓦７０２の中心線をずらして置かれている母型（offset matrix）で形成されている。
【００４２】
[0050]チェッカー煉瓦パック５０中で採用され得る複数のチェッカー煉瓦（その幾つが参照数字８０２により指摘されている）の長手方向（longitudinal）縁モジュール８００のもう１つの実施形態が、添付の図３０〜図３３中に描かれている。例えば図３１により示されている如く、モジュール８００は、夫々が複数の離間されている管状（例えば、四角形状の平行六面体）チェッカー煉瓦８０２を含んでいる複数の層Ｃ１−８乃至Ｃ４−８により構成されている。複数の層Ｃ１−８乃至Ｃ４−８の夫々の中における複数のチェッカー煉瓦８０２は、複数の層Ｃ１−８乃至Ｃ４−８の隣接した１つ中の複数のチェッカー煉瓦８０２に対し、ジグザグ配置で中心線をずらして置かれている。
【００４３】
[0051]図３０乃至図３３中に示されている如く、長手方向（longitudinal）縁モジュール８００は、垂直面に沿い長さ方向に分割されている複数のチェッカー煉瓦（その代表的な幾つかは参照数字８０２ａにより指摘されている）により規定されている内端側面及び正反対の側方側面を含み、それによりモジュール８００の内縁を形成している。好ましくは、複数のチェッカー煉瓦８０２ａは、垂直面に沿い長手方向に二分されて、パック５０中の隣接したモジュールの同様の露出されている縁と一直線に並べられる個々の露出した縁を形成する。長手方向（longitudinal）縁モジュール８００の場合、従って、分割されている複数のチェッカー煉瓦８０２ａの露出されている縁は、同様の隣接した長手方向（longitudinal）縁モジュール８００の、図６乃至図９に関連して上に記載された如き内部モジュール２００の分割されている複数のチェッカー煉瓦の、又は図３４乃至図３７に関連して以下に記載された如き隅モジュール９００の個々の露出されている縁と合致する。
【００４４】
[0052]図３０乃至図３３中に描かれているモジュール７００は２×２モジュールであり、そこにおいては、複数の層Ｃ１−８乃至Ｃ４−８の夫々が、縁のチェッカー煉瓦８０２ａを除き、幅及び長さ寸法の夫々における２つのチェッカー煉瓦８０２の中心線をずらして置かれている母型（offset matrix）で形成されている。
【００４５】
[0053]チェッカー煉瓦パック５０中で採用され得る複数のチェッカー煉瓦（その幾つが参照数字９０２により指摘されている）の隅モジュール９００のさらにもう１つの実施形態が、添付の図３４〜図３７中に描かれている。例えば図３５により示されている如く、モジュール９００は、夫々が複数の離間されている管状（例えば、四角形状の平行六面体）チェッカー煉瓦９０２を含んでいる複数の層Ｃ１−９乃至Ｃ４−９により構成されている。複数の層Ｃ１−９乃至Ｃ４−９の夫々の中における複数のチェッカー煉瓦９０２は、複数の層Ｃ１−９乃至Ｃ４−９の隣接した１つ中の複数のチェッカー煉瓦９０２に対し、ジグザグ配置で中心線をずらし置かれている。
【００４６】
[0054]チェッカー煉瓦パック５０に関しモジュール９００の内縁を形成している複数のチェッカー煉瓦（その代表的な幾つかは参照数字９０２ａにより指摘されている）は、垂直面に沿い長さ方向に分割されている。好ましくは、複数のチェッカー煉瓦９０２ａは、垂直面に沿い長手方向に二分されて、パック５０中の隣接したモジュールの同様の露出されている縁と一直線に並べられる個々の露出した縁を形成する。隅モジュール９００の場合、従って、分割されている複数のチェッカー煉瓦９０２ａの露出されている縁は、図１２乃至図１５及び図３４乃至図３７の夫々に関連して上に記載された如き隣接した幅方向（latitudinal）縁モジュール３００及び長手方向（longitudinal）縁モジュール８００の分割されている複数のチェッカー煉瓦の個々の露出されている縁と合致する。
【００４７】
[0055]図３４乃至図３７中に描かれているモジュール９００は２×３モジュールであり、そこにおいては、複数の層Ｃ１−９乃至Ｃ４−９の夫々が、縁のチェッカー煉瓦９０２ａを除き、幅寸法における２つのチェッカー煉瓦９０２及び長さ寸法における３つのチェッカー煉瓦９０２の中心線をずらして置かれている母型（offset matrix）で形成されている。
【００４８】
[0056]上に記載された如きモジュール１００〜９００は、パック長さ，高さ，そして深さに関して事実上如何なる容積の寸法のチェッカーパック５０を形成するよう適応されたり組み合わせられたりされて良い。
【００４９】
[0057]モジュール１００〜９００中の個々のチェッカー煉瓦は、従来のOXIBAK（商標）管状煙突型チェッカー煉瓦に関連して示されそして記載されていたが、米国特許第１，８９５，３０２号明細書、第１，８９７，２７０号明細書、第１，９７６，５７５号明細書、第２，０６８，２９２号明細書、第２，２２１，４１６号明細書、第２，５１２，５５５号明細書、第２，８３３，５３２号明細書、第２，８３９，２８６号明細書、第４，１０８，７３３号明細書、第４，５９３，７５１号明細書、第５，００５，６３５号明細書、第５，２９９，６２９号明細書、第５，５３１，５８６号明細書、第５，９９３，２０３号明細書中に記載されていた如き従来の十字形（cruciform）チェッカー、混交（interweave）チェッカー、連結（interlock）チェッカー、ピジョンホール（pigeon-hole）チェッカー、そして籠折り（basket weave）チェッカー、そして類似物の如き他の従来のチェッカー煉瓦は、この発明の実施において代わりに採用され得、個々のこのような従来発行された特許の全内容は引用により明確にここに組み込まれる。
【００５０】
[0058]従って、当該技術における人々は、ここに提供されている技術はこの発明の最も実際的で好ましい実施形態になると考えられるとともに、この発明は記載されている実施形態に限定されず、しかし反対に、その精神及び範囲内に含まれている種々の変形及び均等な配置を包含することを意図されていることを認識するであろう。
以下に、本願出願当初の特許請求の範囲に記載された発明を付記する。
［１］  ハニカム構造を形成する為に多数の中心線をずらして置かれている層に積み重ねられている多数の予め形成されている耐火チェッカー煉瓦を備えているガラス炉再生器の為の自立耐火チェッカー煉瓦モジュールであって、モジュール中の多数のチェッカー煉瓦は結合剤により互いに結合されている、耐火チェッカー煉瓦モジュール。
［２］  多数の予め形成されている耐火チェッカー煉瓦は、管状チェッカー煉瓦，十字形チェッカー煉瓦，混交チェッカー煉瓦，連結チェッカー煉瓦，ピジョンホールチェッカー煉瓦，そして籠折りチェッカー煉瓦から成るグループから選択されている、［１］に記載の耐火チェッカー煉瓦モジュール。
［３］  多数の予め形成されている耐火チェッカー煉瓦が中央管状通路を規定している、［１］に記載の耐火チェッカー煉瓦モジュール。
［４］  多数の予め形成されている耐火チェッカー煉瓦が硬化されている耐火材料で形成されている実質的に四角形状の管の平行六面体である、［３］に記載の耐火チェッカー煉瓦モジュール。
［５］  多数の予め形成されている耐火チェッカー煉瓦がプレス加工されている又は鋳造されている、［１］に記載の耐火チェッカー煉瓦モジュール。
［６］  結合剤が犠牲的又は非犠牲的結合材である、［１］に記載の耐火チェッカー煉瓦モジュール。
［７］  結合材がエポキシ接着結合材である、［１］に記載の耐火チェッカー煉瓦モジュール。
［８］  モジュールが、中心線をずらして置かれ長手方向に分割されている多数のチェッカー煉瓦で形成されている少なくとも１つの側縁を含む、［１］に記載の耐火チェッカー煉瓦モジュール。
［９］  モジュールが中心線をずらして置かれ長手方向に分割されている多数のチェッカー煉瓦で形成されている正反対の側縁を含む、［８］に記載の耐火チェッカー煉瓦モジュール。
［１０］  モジュールが、中心線をずらして置かれ長手方向に分割されている多数のチェッカー煉瓦で形成されている正反対の側縁及び一端縁を含む、［８］に記載の耐火チェッカー煉瓦モジュール。
［１１］  多数のチェッカー煉瓦が管状の四角形状の平行六面体である、［８］に記載の耐火チェッカー煉瓦モジュール。
［１２］  多数の長手方向に分割されているチェッカー煉瓦が実質的に垂直な平面により二分されている、［１１］に記載の耐火チェッカー煉瓦モジュール。
［１３］  モジュールが、中心線をずらして置かれている多数のチェッカー煉瓦の少なくとも３つの層を備えている、［１］に記載の耐火チェッカー煉瓦モジュール。
［１４］  モジュールが、中心線をずらして置かれている多数のチェッカー煉瓦の４つの層を備えている、［１３］に記載の耐火チェッカー煉瓦モジュール。
［１５］  個々の層が、多数の長手方向に分割されているチェッカー煉瓦以外のその長さ寸法及び幅寸法の夫々における２つのチェッカー煉瓦を備える、［８］に記載の耐火チェッカー煉瓦モジュール。
［１６］  個々の層が、多数の長手方向に分割されているチェッカー煉瓦以外のその長さ寸法及び幅寸法の夫々における３つのチェッカー煉瓦を備える、［８］に記載の耐火チェッカー煉瓦モジュール。
［１７］  個々の層が、多数の長手方向に分割されているチェッカー煉瓦以外のその幅寸法における２つのチェッカー煉瓦及びその長さ寸法における３つのチェッカー煉瓦を備える、［８］に記載の耐火チェッカー煉瓦モジュール。
【図１】
0006698667.tif 000002
【図２】
0006698667.tif 000003
【図３】
0006698667.tif 000004
【図４】
0006698667.tif 000005
【図５】
0006698667.tif 000006
【図６】
0006698667.tif 000007
【図７】
0006698667.tif 000008
【図８】
0006698667.tif 000009
【図９】
0006698667.tif 000010
【図１０】
0006698667.tif 000011
【図１１】
0006698667.tif 000012
【図１２】
0006698667.tif 000013
【図１３】
0006698667.tif 000014
【図１４】
0006698667.tif 000015
【図１５】
0006698667.tif 000016
【図１６】
0006698667.tif 000017
【図１７】
0006698667.tif 000018
【図１８】
0006698667.tif 000019
【図１９】
0006698667.tif 000020
【図２０】
0006698667.tif 000021
【図２１】
0006698667.tif 000022
【図２２】
0006698667.tif 000023
【図２３】
0006698667.tif 000024
【図２４】
0006698667.tif 000025
【図２５】
0006698667.tif 000026
【図２６】
0006698667.tif 000027
【図２７】
0006698667.tif 000028
【図２８】
0006698667.tif 000029
【図２９】
0006698667.tif 000030
【図３０】
0006698667.tif 000031
【図３１】
0006698667.tif 000032
【図３２】
0006698667.tif 000033
【図３３】
0006698667.tif 000034
【図３４】
0006698667.tif 000035
【図３５】
0006698667.tif 000036
【図３６】
0006698667.tif 000037
【図３７】
0006698667.tif 000038